(57)【特許請求の範囲】
【請求項１】
管理対象施設内の各利用者の行き先に関する情報を表示する行き先表示板システムであって、
前記管理対象施設内の各所に設置され、各利用者に固有の識別情報と利用者情報を読み取って、この識別情報と利用者情報を自装置に固有の識別番号と共に送信する読取装置と、
前記管理対象施設内の部署毎に設置された、情報表示を行う電子行き先表示板とを有し、
前記電子行き先表示板は、
自表示板の設置先の部署に所属する各利用者の前記識別情報と自表示板が受け持つエリアに設置された前記読取装置の識別番号と前記管理対象施設内の各所に設置された各読取装置の識別番号に対応する読取装置の設置場所の情報とを予め記憶する記憶部と、
情報表示を行う表示部と、
送信元の前記読取装置から受信した利用者の識別情報が前記記憶部に記憶されている場合は、自表示板の設置先の部署に所属する利用者であると識別し、前記送信元の読取装置から受信した識別番号に対応する設置場所の情報を前記記憶部から取得して、この読取装置の設置場所を前記識別した利用者の行き先として特定し、前記送信元の読取装置から受信した利用者情報と前記特定した行き先とから、前記識別した利用者の行き先に関する情報を作成して自表示板の前記表示部に表示させ、
前記受信した識別情報が前記記憶部に記憶されていない場合は、自表示板の設置先の部署以外の他部署に所属する利用者であると識別し、前記受信した識別番号を基に前記記憶部を参照して前記送信元の読取装置が自表示板が受け持つエリアに設置されているかどうかを判定し、前記送信元の読取装置が自表示板が受け持つエリアに設置されている場合は、前記送信元の読取装置から受信した識別番号に対応する設置場所の情報を前記記憶部から取得して、この読取装置の設置場所を前記識別した利用者の行き先として特定し、前記送信元の読取装置から受信した利用者情報と前記特定した行き先とから、前記識別した利用者の行き先に関する情報を作成して自表示板の前記表示部に表示させる制御部とを有することを特徴とする行き先表示板システム。
【請求項２】
管理対象施設内の各利用者の行き先とスケジュールに関する情報を表示する行き先表示板システムであって、
前記管理対象施設内の各所に設置され、各利用者に固有の識別情報と利用者情報を読み取って、この識別情報と利用者情報を自装置に固有の識別番号と前記識別情報を読み取った日時を示す情報と共に送信する読取装置と、
前記管理対象施設内の部署毎に設置された、情報表示を行う電子行き先表示板とを有し、
前記電子行き先表示板は、
自表示板の設置先の部署に所属する各利用者の前記識別情報と自表示板が受け持つエリアに設置された前記読取装置の識別番号と前記管理対象施設内の各所に設置された各読取装置の識別番号に対応する読取装置の設置場所の情報とを予め記憶する記憶部と、
情報表示を行う表示部と、
送信元の前記読取装置から受信した利用者の識別情報が前記記憶部に記憶されている場合は、自表示板の設置先の部署に所属する利用者であると識別し、前記送信元の読取装置から受信した識別番号に対応する設置場所の情報を前記記憶部から取得して、この読取装置の設置場所を前記識別した利用者の行き先として特定し、前記送信元の読取装置で識別情報を読み取った日時を前記識別した利用者の入退室日時として特定し、前記送信元の読取装置から受信した利用者情報と前記特定した行き先と前記特定した入退室日時とから、前記識別した利用者の行き先とスケジュールに関する情報を作成して自表示板の前記表示部に表示させ、
前記受信した識別情報が前記記憶部に記憶されていない場合は、自表示板の設置先の部署以外の他部署に所属する利用者であると識別し、前記受信した識別番号を基に前記記憶部を参照して前記送信元の読取装置が自表示板が受け持つエリアに設置されているかどうかを判定し、前記送信元の読取装置が自表示板が受け持つエリアに設置されている場合は、前記送信元の読取装置から受信した識別番号に対応する設置場所の情報を前記記憶部から取得して、この読取装置の設置場所を前記識別した利用者の行き先として特定し、前記送信元の読取装置で識別情報を読み取った日時を前記識別した利用者の入退室日時として特定し、前記送信元の読取装置から受信した利用者情報と前記特定した行き先と前記特定した入退室日時とから、前記識別した利用者の行き先とスケジュールに関する情報を作成して自表示板の前記表示部に表示させる制御部とを有することを特徴とする行き先表示板システム。
【請求項３】
管理対象施設内の各利用者の行き先に関する情報を表示する行き先表示板システムであって、
前記管理対象施設内の各所に設置され、各利用者に固有の識別情報と利用者情報を読み取って、この識別情報と利用者情報を自装置に固有の識別番号と共に送信する読取装置と、
前記管理対象施設内の部署毎に設置された、情報表示を行う電子行き先表示板と、
サーバ装置とを有し、
前記サーバ装置は、
利用者の識別情報と所属先の部署との対応、及び部署と各電子行き先表示板との対応を予め記憶すると共に、各電子行き先表示板の受け持ちエリアと前記管理対象施設内の各所に設置された各読取装置の識別番号に対応する読取装置の設置場所の情報とを予め記憶する記憶手段と、
送信元の前記読取装置から受信した利用者の識別情報と前記記憶手段に記憶された識別情報とを照合して利用者の所属先の部署を識別し、前記送信元の読取装置から受信した識別番号に対応する設置場所の情報を前記記憶手段から取得して、この読取装置の設置場所を前記識別した利用者の行き先として特定し、前記識別した利用者の所属先の部署を基に前記記憶手段を参照して前記所属先の部署に設置された電子行き先表示板を特定し、前記受信した識別番号を基に前記記憶手段を参照して前記送信元の読取装置を受け持つ電子行き先表示板を特定し、前記送信元の読取装置から受信した利用者情報と前記特定した行き先とから、前記識別した利用者の行き先に関する情報を作成して、作成した情報を前記所属先の部署に設置された電子行き先表示板に送信して表示させ、前記送信元の読取装置が前記所属先の部署に設置された電子行き先表示板の受け持ちエリアにない場合は、前記作成した情報を前記送信元の読取装置を受け持つ電子行き先表示板に送信して表示させる手段とを有することを特徴とする行き先表示板システム。
【請求項４】
管理対象施設内の各利用者の行き先とスケジュールに関する情報を表示する行き先表示板システムであって、
前記管理対象施設内の各所に設置され、各利用者に固有の識別情報と利用者情報を読み取って、この識別情報と利用者情報を自装置に固有の識別番号と前記識別情報を読み取った日時を示す情報と共に送信する読取装置と、
前記管理対象施設内の部署毎に設置された、情報表示を行う電子行き先表示板と、
サーバ装置とを有し、
前記サーバ装置は、
利用者の識別情報と所属先の部署との対応、及び部署と各電子行き先表示板との対応を予め記憶すると共に、各電子行き先表示板の受け持ちエリアと前記管理対象施設内の各所に設置された各読取装置の識別番号に対応する読取装置の設置場所の情報とを予め記憶する記憶手段と、
送信元の前記読取装置から受信した利用者の識別情報と前記記憶手段に記憶された識別情報とを照合して利用者の所属先の部署を識別し、前記送信元の読取装置から受信した識別番号に対応する設置場所の情報を前記記憶手段から取得して、この読取装置の設置場所を前記識別した利用者の行き先として特定し、前記送信元の読取装置で識別情報を読み取った日時を前記識別した利用者の入退室日時として特定し、前記識別した利用者の所属先の部署を基に前記記憶手段を参照して前記所属先の部署に設置された電子行き先表示板を特定し、前記受信した識別番号を基に前記記憶手段を参照して前記送信元の読取装置を受け持つ電子行き先表示板を特定し、前記送信元の読取装置から受信した利用者情報と前記特定した行き先と前記特定した入退室日時とから、前記識別した利用者の行き先とスケジュールに関する情報を作成して、作成した情報を前記所属先の部署に設置された電子行き先表示板に送信して表示させ、前記送信元の読取装置が前記所属先の部署に設置された電子行き先表示板の受け持ちエリアにない場合は、前記作成した情報を前記送信元の読取装置を受け持つ電子行き先表示板に送信して表示させる手段とを有することを特徴とする行き先表示板システム。
【発明の詳細な説明】
【０００１】
【発明の属する技術分野】
本発明は、例えば職場等において所属する職員の所在を明らかにするために、各人の行き先とスケジュールに関する情報を表示する行き先表示板システムに関するものである。
【０００２】
【従来の技術】
従来、職場における行き先表示は、ホワイトボードや黒板等を部署の全員が見える場所に設置しておき、各職員が所属部署を離れるときにホワイトボードや黒板に行き先や時間を書き込むようにしていた。
また、昨今では、通信技術の進展に伴って、各職員がパーソナルコンピュータや情報携帯端末等の外部端末装置から電子式の行き先／スケジュール板に行き先及びスケジュールを入力して、入力された各人の行き先及びスケジュールを行き先／スケジュール板が表示するといった技術が提案されている（特開平８−１０１８６３号公報）。
【０００３】
【発明が解決しようとする課題】
しかしながら、各人がホワイトボードや黒板等に行き先及びスケジュールを書き込む方法では、行き先及びスケジュールを手書きしなければならないという煩わしさが発生する。また、ホワイトボードや黒板等に行き先及びスケジュールを書き込んだ後に、行き先やスケジュールが変更になった場合、本人あるいは他の職員が表示を書き換えない限り、誤った行き先やスケジュールが表示されたままになるという問題点があった。
一方、特開平８−１０１８６３号公報に開示された行き先／スケジュール板では、行き先やスケジュールが変更になった場合、自席のパーソナルコンピュータや所持している情報携帯端末を操作して行き先やスケジュールを入力しなければならないため、利便性に欠けるという問題点があった。また、各人が行き先やスケジュールの入力を忘れると、行き先／スケジュール板に誤った行き先やスケジュールが表示されたままになるという問題点があった。
本発明は、上記課題を解決するためになされたもので、行き先やスケジュールの入力操作の煩わしさを解消することができ、かつ行き先やスケジュールを正確に表示することができる行き先表示板システムを提供することを目的とする。
【０００４】
【課題を解決するための手段】
本発明の行き先表示板システムは、管理対象施設内の各所に設置され、各利用者に固有の識別情報と利用者情報を読み取って、この識別情報と利用者情報を自装置に固有の識別番号と共に送信する読取装置（５）と、前記管理対象施設内の部署毎に設置された、情報表示を行う電子行き先表示板（２）とを有し、前記電子行き先表示板は、自表示板の設置先の部署に所属する各利用者の前記識別情報と自表示板が受け持つエリアに設置された前記読取装置の識別番号と前記管理対象施設内の各所に設置された各読取装置の識別番号に対応する読取装置の設置場所の情報とを予め記憶する記憶部（２２）と、情報表示を行う表示部（２０）と、送信元の前記読取装置から受信した利用者の識別情報が前記記憶部に記憶されている場合は、自表示板の設置先の部署に所属する利用者であると識別し、前記送信元の読取装置から受信した識別番号に対応する設置場所の情報を前記記憶部から取得して、この読取装置の設置場所を前記識別した利用者の行き先として特定し、前記送信元の読取装置から受信した利用者情報と前記特定した行き先とから、前記識別した利用者の行き先に関する情報を作成して自表示板の前記表示部に表示させ、前記受信した識別情報が前記記憶部に記憶されていない場合は、自表示板の設置先の部署以外の他部署に所属する利用者であると識別し、前記受信した識別番号を基に前記記憶部を参照して前記送信元の読取装置が自表示板が受け持つエリアに設置されているかどうかを判定し、前記送信元の読取装置が自表示板が受け持つエリアに設置されている場合は、前記送信元の読取装置から受信した識別番号に対応する設置場所の情報を前記記憶部から取得して、この読取装置の設置場所を前記識別した利用者の行き先として特定し、前記送信元の読取装置から受信した利用者情報と前記特定した行き先とから、前記識別した利用者の行き先に関する情報を作成して自表示板の前記表示部に表示させる制御部（２４）とを有するものである。
また、本発明の行き先表示板システムは、管理対象施設内の各所に設置され、各利用者に固有の識別情報と利用者情報を読み取って、この識別情報と利用者情報を自装置に固有の識別番号と前記識別情報を読み取った日時を示す情報と共に送信する読取装置（５）と、前記管理対象施設内の部署毎に設置された、情報表示を行う電子行き先表示板（２）とを有し、前記電子行き先表示板は、自表示板の設置先の部署に所属する各利用者の前記識別情報と自表示板が受け持つエリアに設置された前記読取装置の識別番号と前記管理対象施設内の各所に設置された各読取装置の識別番号に対応する読取装置の設置場所の情報とを予め記憶する記憶部（２２）と、情報表示を行う表示部（２０）と、送信元の前記読取装置から受信した利用者の識別情報が前記記憶部に記憶されている場合は、自表示板の設置先の部署に所属する利用者であると識別し、前記送信元の読取装置から受信した識別番号に対応する設置場所の情報を前記記憶部から取得して、この読取装置の設置場所を前記識別した利用者の行き先として特定し、前記送信元の読取装置で識別情報を読み取った日時を前記識別した利用者の入退室日時として特定し、前記送信元の読取装置から受信した利用者情報と前記特定した行き先と前記特定した入退室日時とから、前記識別した利用者の行き先とスケジュールに関する情報を作成して自表示板の前記表示部に表示させ、前記受信した識別情報が前記記憶部に記憶されていない場合は、自表示板の設置先の部署以外の他部署に所属する利用者であると識別し、前記受信した識別番号を基に前記記憶部を参照して前記送信元の読取装置が自表示板が受け持つエリアに設置されているかどうかを判定し、前記送信元の読取装置が自表示板が受け持つエリアに設置されている場合は、前記送信元の読取装置から受信した識別番号に対応する設置場所の情報を前記記憶部から取得して、この読取装置の設置場所を前記識別した利用者の行き先として特定し、前記送信元の読取装置で識別情報を読み取った日時を前記識別した利用者の入退室日時として特定し、前記送信元の読取装置から受信した利用者情報と前記特定した行き先と前記特定した入退室日時とから、前記識別した利用者の行き先とスケジュールに関する情報を作成して自表示板の前記表示部に表示させる制御部（２４）とを有するものである。
【０００６】
また、本発明の行き先表示板システムは、管理対象施設内の各所に設置され、各利用者に固有の識別情報と利用者情報を読み取って、この識別情報と利用者情報を自装置に固有の識別番号と共に送信する読取装置（５）と、前記管理対象施設内の部署毎に設置された、情報表示を行う電子行き先表示板（２ａ）と、サーバ装置（７）とを有し、前記サーバ装置は、利用者の識別情報と所属先の部署との対応、及び部署と各電子行き先表示板との対応を予め記憶すると共に、各電子行き先表示板の受け持ちエリアと前記管理対象施設内の各所に設置された各読取装置の識別番号に対応する読取装置の設置場所の情報とを予め記憶する記憶手段と、送信元の前記読取装置から受信した利用者の識別情報と前記記憶手段に記憶された識別情報とを照合して利用者の所属先の部署を識別し、前記送信元の読取装置から受信した識別番号に対応する設置場所の情報を前記記憶手段から取得して、この読取装置の設置場所を前記識別した利用者の行き先として特定し、前記識別した利用者の所属先の部署を基に前記記憶手段を参照して前記所属先の部署に設置された電子行き先表示板を特定し、前記受信した識別番号を基に前記記憶手段を参照して前記送信元の読取装置を受け持つ電子行き先表示板を特定し、前記送信元の読取装置から受信した利用者情報と前記特定した行き先とから、前記識別した利用者の行き先に関する情報を作成して、作成した情報を前記所属先の部署に設置された電子行き先表示板に送信して表示させ、前記送信元の読取装置が前記所属先の部署に設置された電子行き先表示板の受け持ちエリアにない場合は、前記作成した情報を前記送信元の読取装置を受け持つ電子行き先表示板に送信して表示させる手段とを有するものである。
また、本発明の行き先表示板システムは、管理対象施設内の各所に設置され、各利用者に固有の識別情報と利用者情報を読み取って、この識別情報と利用者情報を自装置に固有の識別番号と前記識別情報を読み取った日時を示す情報と共に送信する読取装置（５）と、前記管理対象施設内の部署毎に設置された、情報表示を行う電子行き先表示板（２ａ）と、サーバ装置（７）とを有し、前記サーバ装置は、利用者の識別情報と所属先の部署との対応、及び部署と各電子行き先表示板との対応を予め記憶すると共に、各電子行き先表示板の受け持ちエリアと前記管理対象施設内の各所に設置された各読取装置の識別番号に対応する読取装置の設置場所の情報とを予め記憶する記憶手段と、送信元の前記読取装置から受信した利用者の識別情報と前記記憶手段に記憶された識別情報とを照合して利用者の所属先の部署を識別し、前記送信元の読取装置から受信した識別番号に対応する設置場所の情報を前記記憶手段から取得して、この読取装置の設置場所を前記識別した利用者の行き先として特定し、前記送信元の読取装置で識別情報を読み取った日時を前記識別した利用者の入退室日時として特定し、前記識別した利用者の所属先の部署を基に前記記憶手段を参照して前記所属先の部署に設置された電子行き先表示板を特定し、前記受信した識別番号を基に前記記憶手段を参照して前記送信元の読取装置を受け持つ電子行き先表示板を特定し、前記送信元の読取装置から受信した利用者情報と前記特定した行き先と前記特定した入退室日時とから、前記識別した利用者の行き先とスケジュールに関する情報を作成して、作成した情報を前記所属先の部署に設置された電子行き先表示板に送信して表示させ、前記送信元の読取装置が前記所属先の部署に設置された電子行き先表示板の受け持ちエリアにない場合は、前記作成した情報を前記送信元の読取装置を受け持つ電子行き先表示板に送信して表示させる手段とを有するものである。
【０００７】
【発明の実施の形態】
［実施の形態の１］
以下、本発明の実施の形態について図面を参照して詳細に説明する。図１は本発明の第１の実施の形態となる行き先表示板システムの構成を示すブロック図である。行き先表示板システムは、コンピュータからなるカード管理端末１と、管理対象施設（例えば、企業の構内）の部署毎に設置された複数の電子行き先表示板２（２−１〜２−ｍ）と、後述するカードリーダから送られた情報を電子行き先表示板２に転送するコントローラ３と、カード管理端末１と電子行き先表示板２とコントローラ３とを相互に接続する通信回線４と、管理対象施設内の各所に設置された、利用者に固有の識別情報を読み取る読取装置であるカードリーダ５（５−１〜５−ｎ）と、固有の識別情報が記録された、接触式又は非接触式のカード６とから構成される。
【０００８】
図２は電子行き先表示板２、コントローラ３及びカードリーダ５の詳細な構成を示すブロック図である。
電子行き先表示板２は、情報表示を行う表示部２０と、設置先の部署に所属する利用者が自身のスケジュールを電子行き先表示板２に入力するための入力部２１と、設置先の部署に所属する利用者の情報を記憶する記憶部２２と、通信回線４を介してカード管理端末１又はコントローラ３と通信するための通信部２３と、行き先表示板全体を制御する制御部２４とを有している。
【０００９】
コントローラ３は、通信回線４を介してカードリーダ５と通信するための通信部３０と、通信回線４を介して電子行き先表示板２と通信するための通信部３１と、コントローラ全体を制御する制御部３２とを有している。
カードリーダ５は、カード６から情報を読み出す操作部５０と、カード６から読み出した情報を表示する表示部５１と、通信回線４を介してコントローラ３と通信するための通信部５２と、カードリーダ全体を制御する制御部５３とを有している。
【００１０】
次に、以上のような行き先表示板システムの動作について説明する。図３は行き先表示板システムの動作を示すフローチャート図である。
行き先表示板システムでは、このシステムが設置された管理対象施設に所属する全利用者（例えば、企業の構内に出入りする全職員）に対して予めカード６が発行される。
【００１１】
カード管理端末１は、カード６に記録された情報とカード６の総発行枚数等の情報を一括して管理すると共に、各カードリーダ５の識別番号とこの識別番号に対応する設置場所の情報とこの設置場所の内線番号とを一括して管理している。カード６に記録された情報としては、各カード６に固有の識別番号、カード６を所持する利用者の情報等がある。利用者の情報としては、利用者の氏名、利用者の所属部署名などがある。なお、これらの情報の全てをカード６に記録する必要はなく、カード識別番号だけをカード６に記録するようにしてもよい。
【００１２】
カード管理端末１は、カード６の記録情報（カード６に識別番号だけが記録されている場合には、識別番号と利用者情報）を、このカード６を所持する利用者の所属先の部署に設置された電子行き先表示板２へ回線４を介してあらかじめ送信する。このような送信を管理対象施設内の全利用者（全てのカード６）について行う。各電子行き先表示板２の制御部２４は、カード管理端末１から送られたカード６の記録情報を記憶部２２に格納する。こうして、各電子行き先表示板２に対して、どの利用者の表示を受け持つかを予め登録することができる。
【００１３】
本実施の形態では、利用者の所属部署に設置された電子行き先表示板２に利用者の行き先とスケジュールに関する情報を表示させる。したがって、利用者の所属部署が変更になると、表示先の電子行き先表示板２も変更する必要がある。本実施の形態では、カード管理端末１に登録されたカード６の記録情報中の所属部署名を変更すると、カード管理端末１が、変更前及び変更後の所属先の電子行き先表示板２にそれぞれ情報を送って、変更前の所属先の電子行き先表示板２に登録された該当カードの識別番号及び該当利用者の情報を削除させ、変更後の所属先の電子行き先表示板２に新たに該当カードの識別番号及び該当利用者の情報を登録させるので、各電子行き先表示板２の受け持ちを容易に変更することができる。
【００１４】
さらに、カード管理端末１は、各カードリーダ５の識別番号とこの識別番号に対応する設置場所の情報とこの設置場所の内線番号とを回線４を介して全電子行き先表示板２に予め送信する。各電子行き先表示板２の制御部２４は、カード管理端末１から送られた情報を記憶部２２に格納する。
【００１５】
次に、利用者は、管理対象施設内のある部屋（例えば、コピー室、会議室、実験室、所属部署、他の部署など）に入退室する場合、この部屋の入口に設置されたカードリーダ５の操作部５０に自身が所持するカード６を挿入するか（カード６が接触式の場合）、あるいは操作部５０にカード６を接近させる（カード６が非接触式の場合）。
【００１６】
操作部５０は、利用者によるカード操作があった場合（図３ステップ１０１においてＹＥＳ）、カード６から記録情報を読み出す（ステップ１０２）。
制御部５３は、カード６の記録情報を表示部５１に表示させると共に、この記録情報と、自カードリーダに固有の識別番号と、カード６から情報を読み出した日時（利用者の入室日時又は退室日時）を示す情報とを通信部５２を介してコントローラ３に送信する（ステップ１０３）。
【００１７】
コントローラ３の制御部３２は、通信部３０を介してカードリーダ５からの情報を受信すると、この情報を回線４を介して全電子行き先表示板２に転送する（ステップ１０４）。
各電子行き先表示板２の制御部２４は、設置先の部署に所属する全利用者の最新の行き先とスケジュールに関する情報を表示部２０に常時表示している。そして、制御部２４は、通信部２３を介してコントローラ３からの情報を受信すると（ステップ１０５においてＹＥＳ）、この受信情報に含まれるカード６の識別番号と記憶部２２に予め格納されたカード６の識別番号とを照合して、自表示板が受け持つカード６（利用者）の情報か否かを判断する（ステップ１０６）。
【００１８】
制御部２４は、受信情報に含まれるカード６の識別番号と記憶部２２に予め格納されたカード６の識別番号とが一致しない場合、自表示板が受け持つカード６の情報ではないと判断して受信情報を廃棄する（ステップ１０７）。
【００１９】
また、制御部２４は、受信情報に含まれるカード６の識別番号と記憶部２２に予め格納されたカード６の識別番号とが一致する場合、自表示板が受け持つカード６の情報であると判断して、このカード識別番号に対応する利用者の情報表示を更新する。すなわち、制御部２４は、前記受信情報から利用者氏名を取得（カード６に識別番号だけが記録されている場合には、識別番号に対応する利用者氏名を記憶部２２から取得）し（ステップ１０８）、前記受信情報に含まれるカードリーダ５の識別番号からカードリーダ５の設置場所（利用者の行き先）を特定し（ステップ１０９）、前記カードリーダ５の識別番号を基に対応する内線番号を記憶部２２から取得し（ステップ１１０）、さらに前記受信情報に含まれる日時が入室日時なのか退室日時なのかを判断する。
【００２０】
制御部２４は、記憶部２２に該当するカード識別番号の利用者の入室が既に記録されている場合、前記受信情報に含まれる日時が退室日時であると判断して、前記入室の記録を抹消する。また、制御部２４は、記憶部２２に該当するカード識別番号の利用者の入室が記録されていない場合、前記受信情報に含まれる日時が入室日時であると判断して、記憶部２２に該当するカード識別番号の利用者の入室を登録する（ステップ１１１）。
【００２１】
そして、制御部２４は、表示部２０に表示中の各利用者の情報のうち、受信したカード識別番号に対応する利用者の行き先、行き先の内線番号、入室日時及び退室日時をステップ１０９〜１１１で取得した最新の情報に更新する（ステップ１１２）。図４は表示部２０に表示された行き先とスケジュールに関する情報の１表示例を示す図である。図４のような表示を見ることで、利用者は同一部署に所属する他の利用者が何時何分にどこに入退室したかを確認することができる。
【００２２】
なお、各電子行き先表示板２では、カードリーダ５のない場所への利用者の移動や帰宅時を考慮して、手動での行き先設定も可能である。例えば、大阪支店に出張する利用者である山武二郎は、所属部署の電子行き先表示板２の入力部２１を操作して、行き先として「大阪支店」、行き先の内線番号として「２２２」、帰社予定時刻として「９月１日９時」という内容を入力すれば、制御部２４は、図４に示すような表示を行う。
【００２３】
また、帰宅する山武花子は、所属部署の電子行き先表示板２の入力部２１を操作して、行き先として「帰宅」を入力した上で、所属部署の入口で前述のカード操作を行う。電子行き先表示板２は、前述と同様にコントローラ３からの情報を受信したとき（ステップ１０５）、入力部２１から行き先情報の入力があった場合には、これを表示すべき行き先として特定する（ステップ１０９）。これにより、図４に示すように、山武花子の行き先として「帰宅」、カードリーダ５で得られた退室日時として「２０００年８月３１日１７時３０分」が表示される。
【００２４】
以上のように、本実施の形態では、カード操作に応じて利用者の行き先とスケジュールが自動的に更新されて表示されるので、利用者がホワイトボードや黒板等に行き先及びスケジュールを手書きしたり、端末を操作して行き先及びスケジュールを入力したりする煩わしさを解消することができる。また、行き先やスケジュールが変更になった場合でも、電子行き先表示板２に正しい行き先やスケジュールを表示することができる。また、行き先の内線番号を表示することで、所属部署にいない利用者に急な来客や電話があったとき、所属部署で応対する他者が行き先の内線番号を調べる手間を省くことができる。
【００２５】
［実施の形態の２］
図５は本発明の第２の実施の形態となる行き先表示板システムの構成を示すブロック図であり、図１と同一の構成には同一の符号を付してある。
本実施の形態のカード管理端末１ａは、前述のカード管理端末１と同様の情報を管理しているが、この情報は電子行き先表示板２ａ（２ａ−１〜２ａ−ｍ）ではなく、コンピュータからなるサーバ装置７へ送られる。
【００２６】
サーバ装置７は、カード管理端末１ａから送られたカード６の記録情報（カード６に識別番号だけが記録されている場合には、識別番号と利用者情報）を対応する利用者の所属部署毎に記憶すると共に、カード管理端末１ａから送られた、各カードリーダ５の識別番号とこの識別番号に対応する設置場所の情報とこの設置場所の内線番号とを記憶する。
【００２７】
図６は本実施の形態の行き先表示板システムの動作を示すフローチャート図である。まず、図６のステップ２０１，２０２の処理は実施の形態の１のステップ１０１，１０２と全く同じである。ステップ２０３において、カードリーダ５から情報が送られたとき、コントローラ３ａの制御部は、受信した情報を回線４を介してサーバ装置７に転送する（ステップ２０４）。
【００２８】
サーバ装置７は、各電子行き先表示板２ａに設置先の部署に所属する各利用者の最新の行き先とスケジュールに関する情報を常時表示させている。そして、サーバ装置７は、コントローラ３ａからの情報を受信すると（ステップ２０５においてＹＥＳ）、この受信情報に含まれるカード６の識別番号と予め記憶しているカード６の識別番号とを照合して、このカード６を所持する利用者の所属部署を特定する（ステップ２０６）。
【００２９】
そして、サーバ装置７は、前記受信情報から利用者氏名を取得（カード６に識別番号だけが記録されている場合には、識別番号に対応する利用者氏名を予め記憶している情報から取得）し（ステップ２０７）、前記受信情報に含まれるカードリーダ５の識別番号から利用者の行き先を特定し（ステップ２０８）、前記カードリーダ５の識別番号を基に対応する内線番号を予め記憶している情報から取得し（ステップ２０９）、さらに前記受信情報に含まれる日時が入室日時なのか退室日時なのかを実施の形態の１と同様に判断する。
【００３０】
そして、サーバ装置７は、ステップ２０７〜２１０で取得した利用者氏名、利用者の行き先、行き先の内線番号、入室日時及び退室日時をステップ２０６で特定した部署に設置されている電子行き先表示板２ａに送信する（ステップ２１１）。電子行き先表示板２ａの制御部は、表示中の情報をサーバ装置７から送られた最新の情報に更新する（ステップ２１２）。
以上により、実施の形態の１と同様の動作を実現することができる。手動での行き先設定は、実施の形態の１と同様に、所属部署の電子行き先表示板２ａの入力部を操作すればよい。
【００３１】
［実施の形態の３］
図７は本発明の第３の実施の形態となる行き先表示板システムの動作を示すフローチャート図であり、図３と同一の処理には同一の符号を付してある。本実施の形態においても、行き先表示板システムの構成は実施の形態の１と同様であるので、図１の符号を用いて説明する。
【００３２】
カード管理端末１は、各カードリーダ５の識別番号とこの識別番号に対応する設置場所の情報とこの設置場所の内線番号とを全電子行き先表示板２に送信する際に、予め定められた各電子行き先表示板２の受け持ちエリアとこの受け持ちエリア内に設置されたカードリーダ５の識別番号とを対応付けして、この対応付けを示す情報を他の情報と共に全電子行き先表示板２に送信する。
【００３３】
次に、ステップ１０１〜１０６，１０８〜１１３の処理は実施の形態の１と全く同じである。
各電子行き先表示板２の制御部２４は、受信情報に含まれるカード６の識別番号と記憶部２２に予め格納されたカード６の識別番号とが一致しない場合（ステップ１０６においてＮＯ）、前記受信情報に含まれるカードリーダ５の識別番号を基に、記憶部２２に格納された前記対応付けを示す情報を参照して、前記受信情報が自表示板の受け持ちエリアに設置されたカードリーダ５からの情報であるかどうかを判定する（ステップ１１４）。
【００３４】
前記受信情報が自表示板の受け持ちエリアに設置されたカードリーダ５からの情報である場合（ステップ１１４においてＹＥＳ）、制御部２４は、ステップ１０８〜１１１と同じ処理を行って、受信したカード識別番号に対応する利用者の氏名と、この利用者の行き先、行き先の内線番号、入室日時及び退室日時を表示部２０に追加表示させる（ステップ１１５）。
【００３５】
前記受信情報が自表示板の受け持ちエリアに設置されたカードリーダ５からの情報でない場合（ステップ１１４においてＮＯ）、制御部２４は、受信したカード識別番号に対応する利用者の情報を現在表示中であるかどうかを判定して（ステップ１１６）、表示中であれば、この表示中の情報を表示部２０から消去する（ステップ１１７）。
また、受信したカード識別番号に対応する利用者の情報を表示中でない場合（ステップ１１６においてＮＯ）、制御部２４は、受信情報を廃棄する（ステップ１１８）。
【００３６】
ステップ１０６，１１４，１１５の処理により、本実施の形態では、管理対象施設内の利用者が所属部署以外の他のエリアを訪れたとき、このエリアを受け持つ電子行き先表示板２に、利用者の行き先とスケジュールに関する情報を追加表示（ゲスト表示）することができる。また、この利用者が前記他のエリアから離れたときには、追加表示中の情報を消去する必要があるが、この消去はステップ１１６，１１７の処理で実現することができる。
【００３７】
なお、カード６に識別番号だけが記録されている場合には、本実施の形態のゲスト表示を実現するために、管理対象施設内の全利用者の識別番号と利用者情報とを所属部署毎に分けた上で、全電子行き先表示板２に送っておく必要がある。
【００３８】
［実施の形態の４］
実施の形態の３と同様のゲスト表示を実施の形態の２で実現することもできる。すなわち、サーバ装置７には、予め定められた各電子行き先表示板２ａの受け持ちエリアが登録されている。そして、サーバ装置７は、ステップ２１１において、利用者氏名、利用者の行き先、行き先の内線番号、入室日時及び退室日時をステップ２０６で特定した部署に設置されている電子行き先表示板２ａに送信すると共に、送信元のカードリーダ５を受け持ちエリア内に有する電子行き先表示板２ａに、利用者氏名、利用者の行き先、行き先の内線番号、入室日時及び退室日時を送信して追加表示させる。
【００３９】
また、サーバ装置７は、ステップ２１１において、受信したカード識別番号に対応する利用者の情報を所属部署以外の他のエリアを受け持つ電子行き先表示板２ａに表示中で、かつこの利用者の現在の行き先が前記他のエリアと異なる場合には、前記他のエリアを受け持つ電子行き先表示板２ａに情報を送って、追加表示中の該当利用者の情報を消去させる。こうして、実施の形態の３と同様の効果を得ることができる。
【００４０】
なお、実施の形態の１〜４では、カード６に記録された識別番号を利用者の識別情報としているが、カード６を使用しなくてもよく、利用者の指紋、声紋若しくは網膜パターン、あるいは利用者が入力する暗証番号やサインなどを識別情報として読取装置で読み取ってもよい。
また、実施の形態の１〜４では、利用者の行き先とスケジュールに関する情報を表示しているが、利用者の行き先に関する情報（利用者氏名、行き先、行き先の内線番号）だけを表示してもよい。
また、実施の形態の１〜４では、コントローラ３とカードリーダ５とを別体としているが、これらを一体としてもよい。
【００４１】
【発明の効果】
本発明によれば、読取装置と電子行き先表示板とを設け、各利用者に固有の識別情報を読取装置で読み取ることにより、電子行き先表示板が利用者の行き先を更新して表示するので、利用者がホワイトボードや黒板等に行き先を手書きしたり、端末を操作して行き先を入力したりする煩わしさを解消することができる。また、行き先が変更になった場合でも、電子行き先表示板に正しい行き先を表示することができる。
【００４２】
また、読取装置と電子行き先表示板とを設け、各利用者に固有の識別情報を読取装置で読み取ることにより、電子行き先表示板が利用者の行き先とスケジュールを更新して表示するので、利用者がホワイトボードや黒板等に行き先及びスケジュールを手書きしたり、端末を操作して行き先及びスケジュールを入力したりする煩わしさを解消することができる。また、行き先やスケジュールが変更になった場合でも、電子行き先表示板に正しい行き先やスケジュールを表示することができる。
【００４３】
また、送信元の読取装置の番号が記憶部に記憶されている場合、自表示板が受け持つエリアに設置された読取装置であると判断し、送信元の読取装置が自表示板が受け持つエリアに設置され、かつ受信した識別情報に対応する利用者が設置先の部署に所属する利用者でない場合、この利用者に関する情報を作成して、表示部に表示中の情報に追加表示させることにより、利用者が所属部署以外の他のエリアを訪れたとき、このエリアを受け持つ電子行き先表示板に、利用者の行き先に関する情報又は行き先とスケジュールに関する情報を追加表示（ゲスト表示）することができる。
【００４４】
また、管理対象施設に所属する全利用者の識別情報を管理し、各利用者の識別情報を対応する所属先の部署に設置された電子行き先表示板に予め送信するカード管理端末を設けることにより、各電子行き先表示板に対して、どの利用者の表示を受け持つかを予め登録することができ、各電子行き先表示板の受け持ちを容易に変更することができる。
【００４５】
また、行き先に関する情報又は行き先とスケジュールに関する情報として、利用者の行き先の内線番号を表示することで、所属部署にいない利用者に急な来客や電話があったとき、所属部署で応対する他者が行き先の内線番号を調べる手間を省くことができる。
【００４６】
また、読取装置と電子行き先表示板とサーバ装置とを設け、各利用者に固有の識別情報を読取装置で読み取ることにより、サーバ装置が利用者の行き先を更新して電子行き先表示板に送るので、利用者がホワイトボードや黒板等に行き先を手書きしたり、端末を操作して行き先を入力したりする煩わしさを解消することができる。また、行き先が変更になった場合でも、電子行き先表示板に正しい行き先を表示することができる。
【００４７】
また、読取装置と電子行き先表示板とサーバ装置とを設け、各利用者に固有の識別情報を読取装置で読み取ることにより、サーバ装置が利用者の行き先とスケジュールを更新して電子行き先表示板に送るので、利用者がホワイトボードや黒板等に行き先及びスケジュールを手書きしたり、端末を操作して行き先及びスケジュールを入力したりする煩わしさを解消することができる。また、行き先やスケジュールが変更になった場合でも、電子行き先表示板に正しい行き先やスケジュールを表示することができる。
【００４８】
また、送信元の読取装置が所属先の部署に設置された電子行き先表示板の受け持ちエリアにない場合、送信元の読取装置を受け持ちエリア内に有する電子行き先表示板に作成した情報を送信して、表示中の情報に追加表示させることにより、利用者が所属部署以外の他のエリアを訪れたとき、このエリアを受け持つ電子行き先表示板に、利用者の行き先に関する情報又は行き先とスケジュールに関する情報を追加表示（ゲスト表示）することができる。
【図面の簡単な説明】
【図１】  本発明の第１の実施の形態となる行き先表示板システムの構成を示すブロック図である。
【図２】  電子行き先表示板、コントローラ及びカードリーダの詳細な構成を示すブロック図である。
【図３】  図１の行き先表示板システムの動作を示すフローチャート図である。
【図４】  電子行き先表示板の表示部に表示された行き先とスケジュールに関する情報の１表示例を示す図である。
【図５】  本発明の第２の実施の形態となる行き先表示板システムの構成を示すブロック図である。
【図６】  図５の行き先表示板システムの動作を示すフローチャート図である。
【図７】  本発明の第３の実施の形態となる行き先表示板システムの動作を示すフローチャート図である。
【符号の説明】
１…カード管理端末、２…電子行き先表示板、３…コントローラ、４…通信回線、５…カードリーダ、６…カード、７…サーバ装置、２０、５１…表示部、２１…入力部、２２…記憶部、２３、３０、３１、５２…通信部、２４、３２、５３…制御部、５０…操作部。
【図１】
0004112801.tif 000002
【図２】
0004112801.tif 000003
【図３】
0004112801.tif 000004
【図４】
0004112801.tif 000005
【図５】
0004112801.tif 000006
【図６】
0004112801.tif 000007
【図７】
0004112801.tif 000008